(57)【要約】【課題】  従来技術では、中央部の周りの突出形状部分に乗員の肩などが当接して衝撃を吸収し、重要保護部位である頭部が中央部の凹部に後当たりして、重要保護部位の衝撃を減少させているが、この従来技術のエアバッグは、中央部と突出形状部分とに圧力差がなく、乗員が突出形状に当たるとバッグ内圧が上昇し、中央部の内圧も上昇してしまうという問題がある。またエアバッグ内を２分割にする従来技術は、縫製にとても複雑な作業が必要であり、製造時間もかかり、コストアップにつながってしまうという問題ある。【解決手段】  エアバッグ１２を構成する各基布に対して、重要保護個所に排気孔１０を１個以上備えた二重基布部７を設け、前記二重基布部７には車体側に固設できるテザーベルト９を設けたエアバッグ。【選択図】図１
2010254140.tif 000002
【特許請求の範囲】
【請求項１】
エアバッグを構成する各基布に対して、重要保護個所に排気孔を１個以上備えた二重基布部を設け、前記二重基布部には車体側に固設できるテザーベルトを設けたことを特徴とするエアバッグ。
【請求項２】
前記二重基布部を形成する乗員接触側のアウタパネルと乗員非接触側のインナパネルとは、エアバッグ形成時には、略等しい形状を有し、二重基布部の外周部を接合して乗員対向気室を形成することを特徴とする請求項１に記載のエアバッグ。
【請求項３】
前記テザーベルト部近傍に保持装置を設置し、乗員の体格の差や、乗員の着座位置、衝突状況によって、エアバッグ展開時にテザーベルトを固定・開放を制御することを特徴とする請求項１または請求項２に記載のエアバッグ。
【請求項４】
従来のエアバッグの製造方法に加えて、乗員の重要保護部に対応するエアバッグ基布の内側に排気孔を１個以上備え、車体側に固設できるテザーベルトを取り付けた基布を二重に貼り付けることで、乗員の重要保護部位をソフトに拘束することができることを特徴とするエアバッグの製造方法。
【発明の詳細な説明】
【技術分野】
【０００１】
本発明は車両に搭載して、衝突時等に膨張展開して人体や物体を保護するためのエアバッグ及びエアバッグの製造方法に関するものである。
【背景技術】
【０００２】
エアバッグは、車両の衝突における乗員への衝撃を吸収緩和する手段として装備されることが今日広く普及している。エアバッグは車両の衝突等に即応して、瞬時に展開し、乗員を受け止めるもので、展開が速く円滑であることが重要である。
また、通常のエアバッグ展開は、体格が平均的な乗員であったり、乗員が正規着座位置に座り、シートベルトを装着している状態を想定したものであり、体格が平均より大幅に大きかったり、乗員・物体が正規位置よりも前方のインストルメントパネル近傍に座っている（置いてある）時は、乗員・物品の重要保護個所をよりソフトに拘束するという好適なエアバッグ展開を行えるエアバッグ装置が求められている。
従来技術としては、車両の助手席前方におけるインストルメントパネルの上面側に折り畳まれて収納され、膨張用ガスの流入時に、上方へ突出するとともに、インストルメントパネル上面とインストルメントパネル上方のウインドシールドとの間を塞ぐように、車両の後方側へ展開膨張する助手席用エアバッグであり、膨張完了時の略上下方向に沿って配置される乗員側の壁部が、上下方向の略中央付近を上下左右の縁部位より前方側へ凹ませる凹部を備えるとともに、前記凹部の部位を、乗員胸部を保護可能な胸部用エリアとし、前記凹部の上方で乗員側に隆起する部位を、乗員頭部を保護可能な頭部用エリアとし、前記凹部の左右両側で乗員側に隆起する部位を、それぞれ、乗員の両脇付近を支持する脇用エリアとし、前記凹部の下方で乗員側に隆起する部位を、乗員腹部を保護可能な腹部用エリアとして、前記脇用エリアを、他の前記エリアより先に乗員と干渉可能な隆起量として、構成されていることを特徴とする助手席用エアバッグ（例えば、特許文献１参照）が存在している。
また、エアバッグ内を２分割した従来技術としては、ガス導入口を有したエアバッグと、該エアバッグ内にガスを供給して膨張させるガス発生器とを有するエアバッグ装置において、該エアバッグ内を車両前方側であり該ガス導入口を有した第１室と車両後方側の第２室とに区画する隔壁と、該第１室と第２室とを連通するガス通路と、該第２室に設けられたベントホールと、を備えたことを特徴とするエアバッグ装置（例えば、特許文献２参照）が存在している。
【先行技術文献】
【特許文献】
【０００３】
【特許文献１】特開２００５−２４７１１８号公報（特許請求の範囲の欄、発明の詳細な説明の欄、及び図１〜図１７を参照）
【特許文献２】特開２００１−１６３１４４号公報（特許請求の範囲の欄、発明の詳細な説明の欄、及び図１〜図１２を参照）
【発明の概要】
【発明が解決しようとする課題】
【０００４】
しかしながら、前記従来技術である特許文献１は、中央部の周りの突出形状部分に乗員の肩などが当接して衝撃を吸収し、重要保護部位である頭部が中央部の凹部に後当たりして、重要保護部位の衝撃を減少させているが、この従来技術のエアバッグは中央部と突出形状部分とに圧力差がなく、本来、中央部は突出形状部位より低圧であることが望まれるが、乗員が突出形状に当たるとバッグ内圧が上昇し、中央部の凹部圧も上昇してしまうという問題がある。
また、特許文献２では、エアバッグ内に隔壁を設け、乗員の体型の違いに対応したエアバッグを提供することを目的としているが、この従来技術では、エアバッグ内を２分割にする方法は、縫製にはとても複雑な作業が必要であり、製造時間もかかり、コストアップにつながってしまうという問題ある。
本発明は、これらの問題を解決した、簡単な製造作業で体格の異なる乗員・通常着座位置・近接着座位置等、どのような状況でもエアバッグ展開が対応する乗員に対する衝撃エネルギーを極めて適切に吸収するエアバッグ及びその製造方法を提供するものである。
【課題を解決するための手段】
【０００５】
上記の目的を達成することができる本発明の第１発明は、請求項１に記載された通りのエアバッグであり、次のようなものである。
エアバッグを構成する各基布に対して、排気孔を１個以上備えた二重基布部を設け、前記二重基布部には車体側に固設できるテザーベルトを設けた構成である。
【０００６】
上記の目的を達成することができる本発明の第２発明は、請求項２に記載された通りのエアバッグであり、次のようなものである。
請求項１に記載の発明に加えて、前記二重基布部を形成する乗員接触側のアウタパネルと乗員非接触側のインナパネルとは、エアバッグ形成時には、略等しい形状を有し、二重基布部の外周部を接合して乗員対向気室を形成する構成である。
【０００７】
上記の目的を達成することができる本発明の第３発明は、請求項３に記載された通りのエアバッグであり、次のようなものである。
請求項１、または請求項２に記載の発明に加えて、前記テザーベルト部近傍に保持装置を設置し、乗員の体格の差や、乗員の着座位置、衝突状況によって、エアバッグ展開時にテザーベルトを固定・開放を制御する構成である。
【０００８】
上記の目的を達成することができる本発明の第４発明は、請求項４に記載された通りのエアバッグ製造方法であり、次のようなものである。
従来のエアバッグの製造方法に加えて、乗員の重要保護部に対応するエアバッグ基布の内側に排気孔を１個以上備え、車体側に固設できるテザーベルトを取り付けた基布を二重に貼り付ける構成である。
【発明の効果】
【０００９】
本発明に係るエアバッグ及びエアバッグの製造方法は、上記説明のような構成を有するので、以下に記載する効果を奏する。
（１）エアバッグ作動時、乗員・または物体の重要保護部位をソフトに拘束することができる。
（２）乗員接触面に合わせてアウタパネル及び二重基布部の形状・個数を自由に変化させることができる。
（３）テザーベルトの取付部に保持装置を取り付け、乗員の体格の差や、乗員の着座位置、衝突状況によって、エアバッグ展開時にテザーベルトを固定したままガスを流入させるか、テザーベルト固定を解除してガスを流入させるかを制御することができ、より好適なエアバッグの展開を行うことができる。
（４）従来から製造している通常のエアバッグに本発明の特徴である二重基布部を取り付け、さらに二重基布部に設けられたテザーベルトを車体側に取り付けるという簡易な作業で、本発明のエアバッグを形成することができるため、安価で高性能なエアバッグを提供することができる。
【図面の簡単な説明】
【００１０】
【図１】本発明のエアバッグの第一実施例を示す概略斜視透視図である。
【図２】本発明のエアバッグの第一実施例を示す概略正面図である。
【図３】図２のＡ−Ａ線断面図である。
【図４】本発明のエアバッグの    第一実施例を示す概略展開図である。
【図５】本発明のエアバッグの第二実施例を示す概略斜視透視図である。
【図６】図５のＢ−Ｂ線断面図である。
【図７】本発明の第二実施例のエアバッグの製造工程を示した説明図である。
【図８】本発明の第三実施例を示す概略一部透視斜視図である。
【図９】図８のＣ−Ｃ線断面図である。
【図１０】本発明のエアバッグの保持装置の一実施例を示した概略斜視図である。
【発明を実施するための形態】
【００１１】
エアバッグを構成する各基布に対して、排気孔を１個以上備えた二重基布部を設け、前記二重基布部には車体側に固設できるテザーベルトを設け、前記テザーベルト部近傍にセンサーを設置し、乗員の体格の差や、乗員の着座位置、衝突状況によって、エアバッグ展開時にテザーベルトを固定・開放を制御するエアバッグである。
【実施例】
【００１２】
以下、本発明の第一実施例を添付図面で詳細に説明する。
図１〜図３からも理解できるように、本実施例のエアバッグ１２は、地球に例えて各部を命名すると、北半球側１と南半球側２と赤道３部分で上下に分割されるものであり、上パネル４と下パネル５、及び乗員に接触するフロントパネル６、さらに二重基布部７を構成するためのフロントインナーパネル８の４つの部位から構成されている（図４参照）。
なお、フロントインナーパネル８を除く３つの部位は一体化できることはいうまでもない。
また、フロントインナーパネル８にはテザーベルト９が取り付けられており、エアバッグ１２膨張時に張力を発生し、フロントパネル６とフロントインナーパネル８で構成される二重基布部７に空間を発生させることができる。
この空間をテザーベルト９の車体側への固定、または解除によって内圧をコントロールすることで、衝撃を緩和するための緩衝ゾーンとしたり、重要保護部位をソフトに受け止めるための部位にすることができる。
例えば、助手席で通常の体格の乗員が非近接位置に着座している場合のエアバッグ１２展開では、本実施例のように、重要保護部位である乗員の頭部の部分に対応するフロントパネル６側に二重基布部７を設け、エアバッグ１２展開時にインフレータ（図示せず）から噴出されたガスがエアバッグ１２内に流入する。この際、助手席で通常の体格の乗員が非近接位置に着座しているという情報をセンサー（図示せず）で検知し、このセンサーからの信号によりテザーベルト９の車体側を選択的に保持可能な、例えば図１０に概略示されるような保持装置５０により、テザーベルト９を車体側に固定したままになるため、テザーベルト９でフロントインナーパネル８が引っ張られ、フロントインナーパネル８に設けられた１個以上の、例えば図示のように２の吸・排気孔１０を通ってガスが二重基布部７に流入し、他の部位より圧力が低圧なソフトな空間ができ、重要保護部位である乗員の頭部を保護するというような動作を行う。
【００１３】
ここで、図１０に基づいて保持装置５０の作用を説明すると、パイロアクチュエータ５１のリード線５２により図示しないセンサーからの信号を受け、スクイブ５３が起動される。ケーシング５４には図示しないビス穴が設けてあり、ブラケット６１のベース部６２に固定される。ケーシング５４のピン５５がケーシング５４にカシメなどされて固定されており、ベース部６２にケーシング５４が固定されるとき、側面視略Ｕ字状のロック部６３に設けた一対の縦壁６４、６５に穿設された通孔６６、６７に挿通される。このときテザーベルト９の通孔９ｚにもピン５５が挿通されるようにしておき、従って、ピン５５は通孔６６、６７に挿通支持された状態で通孔９ｚに貫通し、テザーベルト９の引っ張り方向（矢印Ｘ）への移動を阻止して保持している。前記スクイブ５３の起動により、ケーシング５４の拘束を離脱したピン５５が矢印Ｙの方向に動いて通孔６６、６７を抜け、通孔９ｚの保持を解除し、その結果テザーベルト９は矢印Ｘ方向に移動可能になる。
前記テザーベルト９でフロントインナーパネル８が引っ張られる状態は、この保持装置５０を起動させることなくエアバッグ１２を膨張させることにより得ている。
また、乗員が近接着座である場合や体格が大柄の場合には、エアバッグ１２展開時に前記テザーベルト９がセンサー検知によって固定解除され、二重基布部７に空間が形成されずに高圧力で乗員を拘束することができる。この状態は、保持装置５０を起動させ、上記のようにテザーベルト９の拘束状態を解除することで作り出すことができるものである。
なお、外部排気孔１１は、乗員のエアバッグ１２の接触時に余分な衝撃を与えないように、余分なガスをエアバッグ１２外に随時排出させることができるものである。
【００１４】
次に、図５〜図７に基づいて本発明のエアバッグ１２の第二実施例について説明する。
本第二実施例では、エアバッグ１２膨張時には、図５、図６に示したのように前記第一実施例より二重基布部７に形成される空間が大きくなるものである。
これは、フロントインナーパネル８の中央部を幅方向にストレッチさせ、その部分を折り畳んだ状態で上・下パネルを結合させたものであり、フロントインナーパネル８の基布を大きくすることにより、エアバッグ１２膨張時の二重基布部７による空間をより大きくすることができ、低圧部分を大きくでき、重要保護部をよりソフトに拘束することができるものである。
【００１５】
次に、図８〜図９に基づいて本発明の第三実施例について説明する。
本発明の第三実施例では、図８に示すように本発明のエアバッグ１２をサイドエアバッグ装置に搭載したものであり、座席脇のドア部などに乗員が衝突しないように保護するものであり、前記第一実施例、第二実施例ではフロントパネル６部位に設けてきた二重基布部７をサイドに設けることによって乗員の側部をソフトに拘束することができるものである。
このように、本発明のエアバッグ１２は、二重基布部７をエアバッグ１２の基布のどの部分に設けるかによって、乗員のさまざまな保護部位に一つ、もしくは複数の二重基布部７を設けられ、状況に合わせた拘束を行うことができるものである。
【産業上の利用可能性】
【００１６】
エアバッグを搭載する車両の各種エアバッグ装置、例えばサイドエアバックやカーテンエアバッグにおいても利用することができる。
【符号の説明】
【００１７】
１・・・・北半球
２・・・・南半球
３・・・・赤道
４・・・・上パネル
５・・・・下パネル
６・・・・フロントパネル
７・・・・二重基布部
８・・・・フロントインナーパネル
９・・・・テザーベルト
１０・・・・吸・排気孔
１１・・・・外部排気孔
１２・・・・エアバッグ
５０・・・・保持装置
５１・・・・パイロアクチュエータ
５２・・・・リード線
５３・・・・スクイブ
５４・・・・ケーシング
５５・・・・ピン
６１・・・・ブラケット
６２・・・・ベース部
６３・・・・ロック部
６４・・・・縦壁
６５・・・・縦壁
６６・・・・通孔
６７・・・・通孔
９ｚ・・・・通孔
【図１】
2010254140.tif 000003
【図２】
2010254140.tif 000004
【図３】
2010254140.tif 000005
【図４】
2010254140.tif 000006
【図５】
2010254140.tif 000007
【図６】
2010254140.tif 000008
【図７】
2010254140.tif 000009
【図８】
2010254140.tif 000010
【図９】
2010254140.tif 000011
【図１０】
2010254140.tif 000012